(57)【要約】【課題】入退管理システムにおいて、複数の目的地への訪問を予定としている利用者に対して、利用者の指示に基づいて目的地への経路を利用者に提示する。【解決手段】正門に設置されたカードリーダ１０ｘは、ユーザＡの携行するＩＣカードからカードＩＤを読み取ると、読み取ったＩＤに基づいてユーザＡの訪問が予定されているＡ棟、Ｂ棟、Ｃ棟の３つの目的地を示す選択肢のキー２２ａ〜２２ｃを含む目的地選択画面２０をタッチパネル１６上に表示する。キー２２ａ〜２２ｃの選択を受け付けると、受け付けたキーに応じてキーに対応する目的地までの経路地図を示す画面２４，２６，２８を表示する。【選択図】図９
2011048457.tif 000002
【特許請求の範囲】
【請求項１】
管理領域の入口および複数の目的地毎に設置された複数の読取装置と、前記管理領域内のゲートを制御するゲートコントローラとを備える入退管理システムであって、
ゲートコントローラは、
利用者ＩＤ毎に対応した複数の目的地を識別する目的地情報と、前記複数の目的地それぞれへの経路を示す経路情報とを記憶する記憶手段を備え、
読取装置は、
利用者ＩＤを読み取る読取手段と、
前記目的地情報に基づいて読み取られた利用者ＩＤに対応する前記複数の目的地をそれぞれ示す複数の選択肢を利用者に提示し、提示した複数の選択肢の中からひとつの選択肢の選択を利用者から受け付ける選択肢提示手段と、
利用者ＩＤを読み取った読取装置の設置場所を出発点として、選択を受け付けた目的地への経路を、前記経路情報に基づいて利用者に提示する経路提示手段と、
を備えることを特徴とする入退管理システム。
【請求項２】
前記記憶手段は、前記利用者ＩＤ毎の複数の目的地それぞれに対応付けて、未訪問か訪問済みかの状態を示す訪問情報を記憶し、
前記選択肢提示手段は、読み取られた利用者ＩＤに対応する前記訪問情報に示される訪問の状態が未訪問である目的地を示す選択肢を選択可能に提示し、前記訪問の状態が訪問済みである目的地を示す選択肢は選択可能には提示しない
ことを特徴とする請求項１に記載の入退管理システム。
【請求項３】
読み取られた利用者ＩＤに対応する複数の目的地のすべてに関して、前記訪問情報に示される訪問の状態が未訪問でなければ、
前記選択肢提示手段は前記複数の目的地をいずれも選択可能には提示せず、
前記経路提示手段は、利用者ＩＤを読み取った読取装置の設置場所を出発点として管理領域の外に出るための経路を、利用者に提示する
ことを特徴とする請求項２に記載の入退管理システム。
【請求項４】
前記記憶手段は、前記利用者ＩＤ毎の複数の目的地それぞれに対応付けて、訪問許可された時間の範囲を示す制限時間情報を記憶し、
前記選択肢提示手段は、前記読み取られた利用者ＩＤに対応する前記訪問情報に示される訪問の状態が未訪問である目的地であるとしても、前記読み取られた利用者ＩＤに対応する前記制限時間情報に示される時間の範囲外である目的地については、当該目的地を示す選択肢は選択可能には提示しない
ことを特徴とする請求項２に記載の入退管理システム。
【請求項５】
前記記憶手段は、前記利用者毎の複数の目的地それぞれに対応付けて、訪問許可された時間の範囲を示す制限時間情報を記憶し、
前記選択肢提示手段は、前記複数の目的地をそれぞれ示す複数の選択肢とともに、前記制限時間情報に基づいて各目的地に対応する訪問許可された時間の範囲を利用者に提示する
ことを特徴とする請求項１に記載の入退管理システム。
【請求項６】
前記記憶手段は、前記複数の目的地それぞれに対応付けたメッセージを示すメッセージ情報を記憶し、
前記選択肢提示手段は、前記複数の目的地とともに、前記複数の目的地それぞれに対応するメッセージを提示する
ことを特徴とする請求項１に記載の入退管理システム。
【請求項７】
前記記憶手段は、
前記利用者ＩＤ毎の複数の目的地それぞれに対応付けて、未訪問か訪問済みかを含む状態を示す訪問情報と、
前記複数の目的地のうちの一部の目的地について、既定の訪問順序を示す順序情報と、
を記憶し、
前記選択肢提示手段は、前記複数の選択肢として、前記順序情報に示される規定の訪問順序を含めて提示する
ことを特徴とする請求項１に記載の入退管理システム。
【請求項８】
入退管理システムは、サーバを含み、
サーバは、ネットワークを介して接続された外部装置から、利用者ＩＤ毎に複数の目的地を識別する情報の設定を受け付ける受付手段と、
前記受付手段による受け付け内容をゲートコントローラへと送信する送信手段とを備え、
ゲートコントローラは、送信された受け付け内容を前記記憶手段に書き込む書き込み手段を備える
ことを特徴とする請求項１に記載の入退管理システム。
【発明の詳細な説明】
【技術分野】
【０００１】
本発明は、管理領域内における利用者のゲートへの入退を管理する入退管理システムに関し、特に管理領域にいる利用者に対して経路を提示する技術に関する。
【背景技術】
【０００２】
入退管理システムは、例えば利用者のＩＤを読み取る読取装置と読み取ったＩＤに基づいてゲートを制御するゲート制御装置とから構成され、施設の管理領域内においてゲートの開閉制御などにより利用者の行き来を管理するものである。
この施設を訪れた利用者（訪問者）の中には施設内の地理に不案内な者がいることが考えられる。これに関して、特許文献１では、転出手続きを行う旨の情報（目的情報）をカードに記憶させておき、案内表示装置のリーダライタが利用者の持つカードを読み取ると、案内表示装置の設置場所から転出手続きを行える窓口までの経路を表す見取り図を表示するとしている。
【先行技術文献】
【特許文献】
【０００３】
【特許文献１】特開2007-79780号公報
【発明の概要】
【発明が解決しようとする課題】
【０００４】
ところで、訪問者によっては複数の目的地への訪問を予定している場合がある。この場合、従来の特許文献１のように、利用者のカード毎にそのカードに対応するひとつの目的地への経路を一律に表示するやり方では適切に対応できない。
本発明はこのような背景の下になされたものであって、複数の目的地への訪問を予定としている利用者に対して、利用者の指示に基づいて目的地への経路を利用者に提示する入退管理システムを提供することを目的とする。
【課題を解決するための手段】
【０００５】
本発明に係る入退管理システムは、管理領域の入口および複数の目的地毎に設置された複数の読取装置と、前記管理領域内のゲートを制御するゲートコントローラとを備える入退管理システムであって、ゲートコントローラは、利用者ＩＤ毎に対応した複数の目的地を識別する目的地情報と、前記複数の目的地それぞれへの経路を示す経路情報とを記憶する記憶手段を備え、読取装置は、利用者ＩＤを読み取る読取手段と、前記目的地情報に基づいて読み取られた利用者ＩＤに対応する前記複数の目的地をそれぞれ示す複数の選択肢を利用者に提示し、提示した複数の選択肢の中からひとつの選択肢の選択を利用者から受け付ける選択肢提示手段と、利用者ＩＤを読み取った読取装置の設置場所を出発点として、選択を受け付けた目的地への経路を、前記経路情報に基づいて利用者に提示する経路提示手段と、を備えることを特徴としている。
【発明の効果】
【０００６】
本発明に係る入退管理システムによれば、選択肢提示手段は、利用者ＩＤに対応する複数の目的地をそれぞれ示す複数の選択肢を利用者に提示し、その中からひとつの選択肢の選択を受け付け、経路提示手段は、選択を受け付けた目的地への経路を提示するので、複数の目的地への訪問を予定としている利用者に対して、利用者の指示に基づいて目的地への経路を提示することができる。また、前記記憶手段は、前記利用者ＩＤ毎の複数の目的地それぞれに対応付けて、未訪問か訪問済みかの状態を示す訪問情報を記憶し、前記選択肢提示手段は、読み取られた利用者ＩＤに対応する前記訪問情報に示される訪問の状態が未訪問である目的地を示す選択肢を選択可能に提示し、前記訪問の状態が訪問済みである目的地を示す選択肢は選択可能には提示しないとしても構わない。
【０００７】
この構成によれば、訪問済みである目的地を示す選択肢を選択可能には提示しないとすることで、利用者が選択し得る選択肢の数を減らして簡単な選択に貢献する。
また、読み取られた利用者ＩＤに対応する複数の目的地のすべてに関して、前記訪問情報に示される訪問の状態が未訪問でなければ、前記選択肢提示手段は前記複数の目的地をいずれも選択可能には提示せず、前記経路提示手段は、利用者ＩＤを読み取った読取装置の設置場所を出発点として管理領域の外に出るための経路を、利用者に提示するとしても構わない。
【０００８】
この構成によれば、例えば、未訪問な目的地が無くすべての目的地を訪問済みであると看なすことができる利用者に対して、管理領域の外に出るための経路を表示することができる。管理領域の外に出るための経路を表示することで、例えば、利用者に管理領域からの速やかな退出を促すことができ、管理領域内を迷った利用者が立ち入りが厳しく制限された領域へ立ち入ってしまう可能性を低減できる。
【０００９】
また、前記記憶手段は、前記利用者ＩＤ毎の複数の目的地それぞれに対応付けて、訪問許可された時間の範囲を示す制限時間情報を記憶し、前記選択肢提示手段は、前記読み取られた利用者ＩＤに対応する前記訪問情報に示される訪問の状態が未訪問である目的地であるとしても、前記読み取られた利用者ＩＤに対応する前記制限時間情報に示される時間の範囲外である目的地については、当該目的地を示す選択肢は選択可能には提示しないとしても構わない。
【００１０】
この構成によれば、訪問済みか時間の範囲外である目的地を示す選択肢を選択可能には提示しないとすることで、利用者が選択し得る選択肢の数を減らし簡単な選択に寄与する。
また、前記記憶手段は、前記利用者毎の複数の目的地それぞれに対応付けて、訪問許可された時間の範囲を示す制限時間情報を記憶し、前記選択肢提示手段は、前記複数の目的地をそれぞれ示す複数の選択肢とともに、前記制限時間情報に基づいて各目的地に対応する訪問許可された時間の範囲を利用者に提示するとしても構わない。
【００１１】
この構成によれば、訪問許可された時間の範囲を利用者に提示することで、利用者による選択肢の選択のための判断材料を増やすことができる。また、例えば、時間の範囲を提示は、利用者に切迫した印象を与え、時間的な余裕がなくすことができ、利用者が管理領域内をみだりに動き回る可能性を低減できる。
また、前記記憶手段は、前記複数の目的地それぞれに対応付けたメッセージを示すメッセージ情報を記憶し、前記選択肢提示手段は、前記複数の目的地とともに、前記複数の目的地それぞれに対応するメッセージを提示するとしても構わない。
【００１２】
この構成によれば、メッセージを利用者に提示することで、利用者による選択肢の選択のための判断材料を増やすことができる。
また、前記記憶手段は、前記利用者ＩＤ毎の複数の目的地それぞれに対応付けて、未訪問か訪問済みかを含む状態を示す訪問情報と、前記複数の目的地のうちの一部の目的地について、既定の訪問順序を示す順序情報と、を記憶し、前記選択肢提示手段は、前記複数の選択肢として、前記順序情報に示される規定の訪問順序を含めて提示するとしても構わない。
【００１３】
この構成によれば、規定の訪問順序を含めて提示することで、利用者に規定の訪問順序に沿った選択肢の選択を期待することができる。
また、入退管理システムは、サーバを含み、サーバは、ネットワークを介して接続された外部装置から、利用者ＩＤ毎に複数の目的地を識別する情報の設定を受け付ける受付手段と、前記受付手段による受け付け内容をゲートコントローラへと送信する送信手段とを備え、ゲートコントローラは、送信された受け付け内容を前記記憶手段に書き込む書き込み手段を備えるとしても構わない。
【図面の簡単な説明】
【００１４】
【図１】入退管理システム１の構成を示す図
【図２】施設内の見取り図
【図３】カードリーダ１０ｘの機能ブロック図
【図４】ゲートコントローラ１００ｘの機能ブロック図
【図５】目的地テーブル１４０の例を示す図
【図６】訪問ステータステーブル１６０の例を示す図
【図７】カードリーダとゲートコントローラの処理の流れを示すフローチャート
【図８】ゲートコントローラにおけるゲート通行・ステータス更新の処理の流れを示すフローチャート
【図９】正門のカードリーダ１０ｘにて、Ａ棟への経路をユーザＡに表示する流れを示す図
【図１０】広場のカードリーダ１０ｙにて、Ａ棟への経路をユーザＡに表示する流れを示す図
【図１１】Ａ棟のカードリーダ１０ａにて、Ｂ棟への経路をユーザＡに表示する流れを示す図
【図１２】Ｃ棟のカードリーダ１０ｃにて、正門への経路をユーザＡに表示する流れを示す図
【図１３】目的地テーブル１４０ａを示す図
【図１４】正門のカードリーダ１０ｘにて、目的地の選択肢をユーザＢに表示する流れを示す図
【図１５】正門のカードリーダ１０ｘにて、目的地の選択肢をユーザＡに表示する流れを示す図
【図１６】目的地選択画面４６を示す図
【図１７】目的地テーブル１４０の設定の流れを示す図
【発明を実施するための形態】
【００１５】
以下、図面に基づいて本実施の形態について説明する。
図１に示すように、入退管理システム１は、５台のゲートコントローラ１００ｘ，１００ｙ，１００ａ〜１００ｄ、ゲートコントローラ１００ｘ，１００ｙ，１００ａ〜１００ｄを管理する管理サーバ２、各ゲートコントローラ毎に対応して設けられた６台のカードリーダ１０ｘ，１０ｙ，１０ａ〜１０ｄを含んで構成される。ゲートコントローラ１００ｘ，１００ｙ，１００ａ〜１００ｃと管理サーバ２の間、およびゲートコントローラ１００ｘ，１００ｙ，１００ａ〜１００ｄと各ゲートコントローラに対応するカードリーダ１０ｘ，１０ｙ，１０ａ〜１０ｃとの間はそれぞれ通信ケーブルにより接続されており、相互に通信可能となっている。
【００１６】
各装置の設置場所については、図２に示すように、管理領域３内において、カードリーダ１０ｘは正門、カードリーダ１０ｙは広場、カードリーダ１０ａ〜１０ｄはそれぞれ建物であるＡ棟〜Ｄ棟の入口に設置されている。
カードリーダ１０ｘ，１０ａ〜１０ｄがユーザＩＤを読み取ると、読み取ったユーザＩＤに応じて、それぞれの付近に設置されたゲート４ｘ，４ａ〜４ｄの開閉制御が行われることとなる。このゲート４ｘ，４ａ〜４ｄはフラッパーゲートと呼ばれる一般的なゲートであり、左右のパネルの開閉により通行を制御するものである。なお、ただし、広場にはゲートが無くカードリーダ１０ｙはゲートの開閉制御に関与しない。
【００１７】
正門における入退管理システム１の処理の流れとしては次の通りである。
正門前には守衛室（図示しない。）があり、施設を訪問するユーザに対してはそのユーザに予め紐付けされたユーザＩＤのＩＣカード６が貸与される。
正門にあるゲート４ｘは、普段は左右のパネルが閉じてユーザの通行を阻んでいる。このゲート付近に設置されたカードリーダ１０ｘはユーザが携行するＩＣカード６からユーザＩＤを読み取ると、カードリーダ１０ｘは読み取ったユーザＩＤを対応するゲートコントローラ１００ｘへと送信する。そして、ゲートコントローラ１００ｘは読み取ったユーザＩＤに関してゲート４ｘを通行する権限があるかどうか判定し、権限があればゲート４ｘの左右のパネルを一定時間の間だけ開放してユーザが通行できるようにする。
【００１８】
また、ひとつのユーザＩＤあたりに対応する複数の目的地をゲートコントローラ１００ｘは予め記憶しており、カードリーダ１０ｘにおいては読み取ったユーザＩＤに対応する複数の目的地を示すメニューを表示してユーザからの選択を受け付け、カードリーダ１０ｘを出発点として、受け付けた目的地までの経路を表示する。
以上が正門における入退管理システム１の処理の流れの概要である。
【００１９】
続いて、カードリーダ１０ｘ，１０ｙ，１０ａ〜１０ｄ、ゲートコントローラ１００ｘ，１００ｙ，１００ａ〜１００ｄの機能ブロックについて順に説明する。
図３は、カードリーダ１０ｘの機能ブロック図である。カードリーダ１０ｘ，１０ｙ，１０ａ〜１０ｄは同様な構成であるのでカードリーダ１０ｘだけを代表させて説明する。
カードリーダ１０ｘは、読取部１２、通信部１４、タッチパネル１６、制御部１８を備える。
【００２０】
読取部１２は、アンテナや無線通信モジュールから構成されており、非接触でＩＣカード６からユーザＩＤを読み取る。
通信部１４は、読取部１２が読み取ったＩＤやタッチパネル制御部１６が受け付けた内容を示すデータをゲートコントローラ１００ｘへと送信する。また、ゲートコントローラ１００ｘから各種情報を受信する。なお、ゲートコントローラ１００ｘとカードリーダ１０ｘと間のデータの送受信は、ゲートコントローラ１００ｘが未送信のデータがないかを問い合わせる信号を繰り返し送信しており、カードリーダ１０ｘはこの問い合わせに応じてデータを返す方式である。
【００２１】
タッチパネル１６は、画面サイズ10.4インチで液晶方式のディスプレイパネルと、このパネル上に重畳した抵抗膜方式のタッチセンサとから構成され、ユーザに対してディスプレイパネルにより各種表示を行うとともに、タッチセンサを介して各種入力を受け付ける。なお、上記したタッチパネル１６の具体的なスペックは一例でありこれに限られない。
制御部１８は、タイマー、制御プログラムを実行するＣＰＵ、この制御プログラムを格納するＲＯＭや作業領域となるＲＡＭを含んで構成され、タッチパネル１６の表示制御やタッチパネル１６における入力の受付などを行う。
【００２２】
図４は、ゲートコントローラ１００ｘの機能ブロック図である。ゲートコントローラ１００ｘ，１００ｙ，１００ａ〜１００ｄは同様な構成であるのでゲートコントローラ１００ｘだけを代表させて説明する。
ゲートコントローラ１００ｘは、サーバ通信部１０２、ＣＲ通信部１０４、権限判定部１０６、ゲート制御部１０８、ステータス更新部１１０、経路処理部１１２、制御部１１４、記憶部１２０を備える。
【００２３】
サーバ通信部１０２は、管理サーバ２との通信を行う。なお、ゲートコントローラ１００ｘは管理サーバ２とＬＡＮ（Local Area Network）ケーブルを介して接続されることでＬＡＮを形成している。
ＣＲ通信部１０４は、カードリーダ（Card Reader）１０ｘと通信を行う。ＣＲ通信部１０４は未送信のデータがないかを問い合わせる信号を繰り返しカードリーダ１０ｘへと送信し、カードリーダ１０ｘの通信部１４から問い合わせに応じたデータを受信する。
【００２４】
権限判定部１０６は、カードリーダ１０ｘが読み取ったユーザＩＤをゲート通行権限ＤＢ１３０と照らし合わせてゲート４ｘの通行権限があるかどうか判定する。権限有りと判定すると、ゲート制御部１０８は、ゲート４ｘへゲートの開放指示を送信する。
ステータス更新部１１０は、自装置に対応するゲートがどの場所（正門、広場もしくは建物Ａ棟〜Ｄ棟）に設置されているかを示す設置場所情報を記憶する記憶部を含んでおり、権限判定部１０６が権限有りと判定すると、この設置場所情報に基づいて訪問ステータステーブル１６０を更新する。例えば、ゲートコントローラ１００ｘでは、上記設置場所情報によると対応するゲート４ｘは正門にあり、建物Ａ棟〜Ｄ棟には設置されていないためステータス更新を行わない。これに対して、ゲートコントローラ１００ａでは、上記設置場所情報によると対応するゲート４ａが建物Ａ棟に設置されているため、権限判定部１０６が権限有りと判定してゲート４ａを開放した際に、ユーザがゲート４ａを通行しＡ棟内に入ったと見なして、そのユーザＩＤについてＡ棟を訪問済みとしてステータスを更新する。
【００２５】
経路処理部１１２は、カードリーダ１０ｘが読み取ったユーザＩＤに基づいて、目的地テーブル１４０の中からユーザＩＤに対応する複数の目的地を特定し、カードリーダ１０ｘへと送信する。また、カードリーダ１０ｘがユーザから選択を受け付けた目的地に応じて、経路情報ＤＢ１５０から経路地図の情報を取り出してカードリーダ１０ｘへと返す。
記憶部１２０は、例えば、データの書き換えが可能なフラッシュメモリから構成され、ゲート通行権限ＤＢ１３０、目的地テーブル１４０、経路情報ＤＢ１５０、訪問ステータステーブル１６０を記憶する。
【００２６】
ゲート通行権限ＤＢ１３０は、入退管理システムにおいて一般的に用いられているデータベースであり、ゲートコントローラ１００ｘが担当するゲート４ｘに関して、ユーザＩＤ毎に通行権限の有無を示すものである。なお、通行可能な時間帯（例えば、日中のみ通行権限有りなど。）を指定できるようにしてもよい。
目的地テーブル１４０は、ユーザＩＤ毎に複数の訪問先を対応付けたテーブルである。具体的な例としては図５に示すように、目的地テーブル１４０は、「ユーザＩＤ」１４１、「名前」１４２、「目的地」１４３、「制限時間」１４４、「メッセージ」１４５の項目を含む。
【００２７】
「名前」１４２は、「ユーザＩＤ」１４１に対応するユーザの名前である。
「目的地」１４３は、「ユーザＩＤ」１４１に対応するユーザの目的地（訪問先）であり、図５の例では、Ａ棟、Ｂ棟、Ｃ棟の３つの目的地がある。
「制限時間」１４４は、各目的地に対応する制限時間である。例えばＡ棟は、2009/08/01,10:00-17:00に制限時間が設定されている。
【００２８】
「メッセージ」１４５は、各目的地に対応するメッセージである。例えばＡ棟は、「○○の打ち合わせをお願いします。」というメッセージが設定されている。
なお、図５には示さないがユーザＩＤ毎に同様なデータ構造のテーブルが作成されている。
経路情報ＤＢ１５０は、ゲートコントローラ１００ｘに対応するカードリーダ１０ｘが設置された場所（正門）を出発点としてＡ棟〜Ｄ棟を目的地とした4種類の経路地図の情報を含んで構成される。例えば、Ａ棟を目的地とした種類の経路地図の情報であれば、図２のような見取り図に重ねて、正門からＡ棟までの経路を表示する画像データを含んでいる。
【００２９】
また、訪問ステータステーブル１６０は、ユーザＩＤ毎に予定された訪問先へ訪問状況を示すテーブルである。図６に示すように、訪問ステータステーブル１６０は、「ユーザＩＤ」１６１に対応するそれぞれ「名前」１６２、「目的地」１６３の項目を含む。
「目的地」１６３には、目的地テーブル１４０でユーザＩＤ「１４１」：0001の「目的地」１４３であるＡ棟〜Ｃ棟の３つの目的地となっている。訪問の状況を示す値は、０：未訪問、１：訪問済み、２：時間外の３種類がある。図６の例では、Ａ棟が訪問済みで、Ｂ棟Ｃ棟が未訪問である。
＜動作＞
次に動作について説明する。
【００３０】
図７は、カードリーダとゲートコントローラの処理の流れを示すフローチャートである。
カードリーダ１０ａとゲートコントローラ１００ａを図７，図８を説明する。
まず、カードリーダ１０ａの読取部１２がＩＣカード６のユーザＩＤを読み取ると（Ｓ１１：Ｙｅｓ）、通信部１４は読み取ったユーザＩＤをゲートコントローラ１００ａへ送信する（Ｓ１２）。
【００３１】
ゲートコントローラ１００ａでは、ＣＲ通信部１０４がユーザＩＤを受信すると（Ｓ２１）、経路処理部１１２は、目的地テーブル１４０および訪問ステータステーブル１６０を参照して受信したユーザＩＤに対応する目的地を特定する（Ｓ２２）。そして特定した目的地の名前（目的地を識別する情報の一種である。）、「制限時間」１４４、および「メッセージ」１４５、各目的地の訪問の状況を示す値（０：未訪問、１：訪問済み、２：時間外の３種類）を含む目的地情報をカードリーダ１０ａへと送信する（Ｓ２３）。
【００３２】
カードリーダ１０ａの通信部１４が目的地情報を受信すると、制御部１８はタッチパネル１６に目的地情報に含まれる１以上の目的地を示す選択肢を利用者に表示させる（Ｓ１３）。なお、このステップＳ１３の表示においては、目的地情報に含まれる各目的地の訪問の状況を示す値が１（訪問済み）や２（時間外）の目的地を示す選択肢は表示しない。
そして、タッチパネル１６において上記目的地を示す選択肢の選択を受け付けると（Ｓ１４：Ｙｅｓ）、通信部１４は、選択を受け付けた目的地を示す情報を送信する（Ｓ１５）。
【００３３】
ＣＲ通信部１０４が、この選択を受け付けた目的地を示す情報を受信すると（Ｓ２４）、経路処理部１１２は、経路情報ＤＢ１５０を参照して受け付けた目的地までの経路地図の情報を特定し（Ｓ２５）、ＣＲ通信部１０４は、この経路地図の情報をカードリーダ１０ａに送信する（Ｓ２６）。なお、ステップＳ２５においては、上記設置場所情報をも参照してカードリーダ１０ａの設置場所である正門を出発点として特定する。
【００３４】
通信部１４が経路地図の情報を受信すると（Ｓ１６）、制御部１８はタッチパネル１６に目的地までの経路地図を表示する（Ｓ１７）。
図８は、ゲートコントローラにおけるゲート通行・ステータス更新の処理の流れを示すフローチャートである。
ゲート通行・ステータス更新処理（Ｓ２７）においては、まず権限判定部１０６は、ゲート通行権限ＤＢを参照して、ステップＳ２１で受信したユーザＩＤ（カードリーダ１０ａが読み取ったユーザＩＤ）について、ゲートコントローラ１００ａの管理下にあるゲート４ａの通行権限が有るかどうかを判定する（Ｓ３１）。
【００３５】
権限が有ると判定すると（Ｓ３２：Ｙｅｓ）、ゲート制御部１０８はゲート４ａを一定時間の間だけ開放する制御を行う（Ｓ３３）。
そして、ステータス更新部１１０は、上記設置場所情報を参照してゲートコントローラ１００ａに対応するゲート４ａは建物Ａ棟の入口にあると判定すると（Ｓ３４：Ｙｅｓ）、ステータス更新部１１０は、訪問ステータステーブル１６０を更新して、ステップＳ２１で受信したユーザＩＤについてＡ棟を未訪問から訪問済みへと更新する（訪問の状況を示す値を０から１に変更する。）。
【００３６】
なお、建物の入口にあるゲート４ａ〜４ｃを管理するゲートコントローラ１００ａ〜１００ｃはステップＳ３４は常にＹｅｓとなり、ゲートコントローラ１００ｘ，１００ｙはステップＳ３４は常にＮｏとなる。
＜動作例＞
具体的な動作例について、目的地テーブル１４０においてＡ棟，Ｂ棟，Ｃ棟の３つの目的地が設定されたユーザＡが各目的地をＡ棟，Ｂ棟，Ｃ棟の順で訪問する様子を示す図９〜図１２を用いてさらに説明する。
【００３７】
図９は、正門のカードリーダ１０ｘにて、Ａ棟への経路をユーザＡに表示する流れを示す図である。ユーザＡは予め正門前の守衛室においてユーザＡ専用のＩＣカード６の貸与を受けており、カードリーダ１０ｘはＩＣカード６のカードＩＤ（ID:0001）を読み取ると（図９（ａ））、タッチパネル１６上にカードＩＤに対応する３つの目的地を含む目的地選択画面２０を表示する（図９（ｂ））。
【００３８】
この目的地選択画面２０は、それぞれＡ棟からＣ棟の目的地に対応するキー２２ａからキー２２ｃを含んでいる。各キー２２ａ〜２２ｃには、各目的地に対応するメッセージも合わせて表示されている。
目的地選択画面２０において、ユーザＡからＡ棟に対応するキー２２ａの選択を受け付けると、カードリーダ１０ｘはタッチパネル１６上に、カードリーダ１０ｘが設置されている正門を出発点としてＡ棟までの経路地図の画面２４を表示する（図９（ｃ））。なお、キー２２ｂの選択を受け付けるとＢ棟までの経路地図の画面２６、キー２２ｃの選択を受け付けるとＣ棟までの経路地図の画面２８を表示する。
【００３９】
続いて、図１０は、広場のカードリーダ１０ｙにて、Ａ棟への経路をユーザＡに表示する流れを示す図である。最初にＡ棟を訪問するつもりのユーザＡは道に迷ったので、広場のカードリーダ１０ｙで経路を再度確認しようとしたものである。
カードリーダ１０ｙはＩＣカード６のカードＩＤを読み取ると（図１０（ａ））、タッチパネル１６上にカードＩＤに対応する３つの目的地を含む目的地選択画面３０を表示する（図１０（ｂ））。
【００４０】
この目的地選択画面３０は、それぞれＡ棟からＣ棟の目的地に対応するキー３２ａからキー３２ｃを含んでおり、この目的地選択画面３０において、キー３２ａの選択を受け付けると、カードリーダ１０ｙはタッチパネル１６上に、カードリーダ１０ｙが設置されている広場を出発点としてＡ棟までの経路地図の画面３４を表示する（図１０（ｃ））。
図１１は、Ａ棟のカードリーダ１０ａにて、Ｂ棟への経路をユーザＡに表示する流れを示す図である。
【００４１】
カードリーダ１０ａはＩＣカード６のカードＩＤを読み取ると（図１１（ａ））、タッチパネル１６上にカードＩＤに対応し、かつ訪問済みのＡ棟を除く２つの目的地を含む目的地選択画面４０を表示する（図１１（ｂ））。
この目的地選択画面４０は、それぞれＢ棟，Ｃ棟の目的地に対応するキー４２ｂ，キー４２ｃを含む。この目的地選択画面４０において、キー４２ｂの選択を受け付けると、カードリーダ１０ａが設置されているＡ棟を出発点としてＢ棟までの経路地図の画面４４を表示する（図１１（ｃ））。
【００４２】
図１２は、Ｃ棟のカードリーダ１０ｃにて、正門への経路をユーザＡに表示する流れを示す図である。ユーザＡは、Ａ棟、Ｂ棟、Ｃ棟の順に既に訪問を終えたものとする。
カードリーダ１０ｃはＩＣカード６のカードＩＤを読み取ると（図１２（ａ））、カードＩＤに対応するＡ棟からＣ棟までの目的地はすべて訪問済みであるため、施設の外に出るための目的地（管理領域３外へ出るための目的地）として正門を目的地とし、正門を示すキー５２を含む画面５０を表示する（図１２（ｂ））。
【００４３】
画面５０において、キー５２の選択を受け付けると、カードリーダ１０ｃが設置されているＣ棟を出発点として正門までの経路地図の画面５４を表示する（図１２（ｃ））。
以上、説明したように本実施の形態によれば、Ａ棟，Ｂ棟，Ｃ棟の３つの目的地が設定されたユーザＡに対して、正門のカードリーダ１０ｘにおいて目的地選択画面２０（図９）を表示し、キー２２ａから２２ｃの選択を受け付け、各キーに対応する目的地までの経路地図の画面２４，２６，２８を表示する。これにより、ユーザＡが訪問したい目的地までの経路を表示することができる。
【００４４】
ユーザＡからすれば、最初にＡ棟を訪問したいのであれば、キー２２ａを選択してＡ棟までの経路地図の画面２４を見ることができるというように、自分が訪問したい目的地までの経路を手に入れることができ便利である。
また、図１２に示すように、Ａ棟、Ｂ棟、Ｃ棟のすべての目的地を訪問済みのユーザＡに対しては、正門への経路を表示することで、ユーザＡに対して管理領域３の外に早く出るように促すことができ、ユーザＡが道に迷って立ち入りが許可されていないエリア（Ｄ棟など）に近づいたり立ち入ったりする可能性を低減することができる。
【００４５】
＜補足＞
以上、本発明の実施の形態について説明したが、本発明は上記の内容に限定されず、本発明の目的とそれに関連又は付随する目的を達成するための各種形態においても実施可能であり、例えば、以下であっても構わない。
（１）訪問者を受け入れる側のユーザなどにおいて、規定の順番通りに訪問者が訪問するようにしたい場合には、目的地テーブル１４０（図５）をアレンジして順番を設定できるようにしても構わない。
【００４６】
具体的には、図１３の目的地テーブル１４０ａに示すように、「訪問順」１４６として、Ａ棟が最初の１番目（ＳＡ=１）で、Ｄ棟が最後の４番目（ＳＤ=４）と設定する。Ａ棟で、最初のブリーフィングを行う関係上、受け入れる側のユーザの意向としては訪問者であるユーザＢ（ID:0002）に最初にＡ棟を訪問してもらいたいものとする。また最後には内容のまとめを行うＤ棟を訪問させるようにしたい。
【００４７】
そして、この訪問ステータステーブル１６０と目的地テーブル１４０ａの「訪問順」１４６とから、ユーザＢがどの目的地にも訪問しておらず、最初の訪問順がＡ棟に指定されているのであれば、カードリーダ１０ｘの目的地選択画面７０において、「最初はＡ棟を訪問してください」というメッセージ７１を表示して、４つの選択肢であるキー６２ａ〜６２ｄのうちキー６２ａの選択を促す。このようにすることで、受け入れる側の予定通りに訪問者を誘導することができる。
【００４８】
なお、図１４では順番を示すメッセージ６１を表示しているが、これに加えてキー６２ａを他のキー６２ｂ〜６２ｄと比べて強調表示したり大きな領域で表示することによりキー６２ａの選択を促すようにしてもよい。
また、訪問順の決め方としては、上記のように順番を固定的に設定する方法だけではなく、順番どうしの関係式を設定する方法でもよい。例えば、訪問ステータステーブル１６０に過去の訪問履歴を順番を含めて記憶させておき、かつ「ＳＤ＝ＳＡ＋１」としてＡ棟の次はＤ棟を訪問するよう設定している条件下において、訪問履歴から前回の訪問がＡ棟であるユーザに対して次ぎはＤ棟を訪問するよう促すメッセージを表示させてもよい。
【００４９】
（２）実施の形態においては、目的地テーブル１４０（図５）における「制限時間」１４４はカードリーダにおいて表示しないとして説明したが、表示するようにしてもよい。具体的には、図１５の目的地選択画面７０に示すように、各キー７２ａ〜７２ｃのうち「制限時間」１４４が設定されているキー７２ａ，７２ｂについてはそれぞれ残り時間「３時間」「１時間」と表示している。
【００５０】
このように表示することで、残り時間を見たユーザＡに速やかに訪問することを促し、ユーザＡが管理領域３内をみだりに動き回る可能性を低減できる。
（３）実施の形態においては、既に訪問済みか時間外の目的地を示す選択肢は表示しないとして説明したが、要は選択肢を選択可能に表示しなければ足りる。
選択肢を選択可能に表示しないとは、一般的なユーザから見て選択が受け付けられない（選択可能でない）ことがわかるように表示することである。例えば、選択が受け付けられないことを示すマーク（取り消し線を付す、訪問済みのハンコを付す）を選択肢に付加して表示するというものである。
【００５１】
また、選択できないことがわかるよう薄く表示(dimmed)しても構わない。
具体的には、図１１（ｂ）の目的地選択画面４０に代えて、図１６の目的地選択画面４６に示すように、キー４８ａ〜４８ｃのうち、訪問済みの目的地を示すキー４８ａを薄く表示して選択を受け付けないようにしてもよい。
（４）実施の形態においては、カードリーダのタッチパネル１６において目的地選択画面２０や経路地図の画面２４を表示するとして説明したが、表示に代えて音声を用いてユーザに対して提示するようにしてもよい。音声の場合、目的地への経路案内として「ここから左に50m進み、交差点を右に曲がる。」といったメッセージを読み上げる態様が考えられる。
【００５２】
また、入力受付に関してもタッチパネル１６のタッチ入力だけでなく、その他のキーデバイスによる入力や音声による入力を受け付けるとしてもよい。
（５）実施の形態においては、ゲートの開放制御に合わせて訪問ステータステーブル１６０を更新する（図８：Ｓ３５）として説明したが、このような自動的な更新に限らず、訪問者あるいは受け入れる側のユーザにおいて各カードリーダやその他の携帯端末を通じて、手動で訪問済みというステータスに更新できるようにしても構わない。
【００５３】
（６）実施の形態においては、ＩＣカード６に記録されたＩＤを読み取るとして説明したが、ユーザ個人を特定するための手法であれば様々な方式を利用できる。例えば、ＩＣタグや磁気カードなどの媒体に記録されたＩＤを読み取る方式でもよい。また、指紋、声紋、虹彩、静脈、ＤＮＡ（deoxyribonucleic acid）の塩基配列などのユーザの生体情報を読み取る方式でも構わない。
【００５４】
（７）実施の形態においては、管理領域３は施設の屋外において位置していたが、ある建物内を管理領域とした入退管理システムにも適用することができ、建物内部において建物の玄関ホールから３階会議室までといった経路地図の提示も考えられる。
（８）実施の形態においては、カードリーダの設置場所を出発点として目的地の建物に至る経路を表示するとしているが、経路の表示としては多少抽象的であってもよい。例えば、経路情報ＤＢ１５０に「広場からＡ棟へは左」「広場からＣ棟へは右」という簡単なテキスト情報を予め格納しておき、広場のカードリーダ１０ｙにおいてＡ棟の選択を受け付けると、「Ａ棟へは左」というメッセージを表示するようにしてもよい。
【００５５】
（９）目的地テーブル１４０の内容の設定については、一般的な端末装置に備わるＷｅｂブラウザなどを利用して訪問者を受け入れる側のユーザ（もしくは入退管理システムを管理者であるユーザ）が簡単に設定できるようにすることが好ましい。
図１７に示すように、管理サーバ２はＷｅｂサーバソフトウェア２ａを備えており、Ｗｅｂサーバソフトウェア２ａはＰＣ８のＷｅｂブラウザ８ａの要求に応じてＨＴＭＬ（HyperText Markup Language）形式の情報をＰＣ８に配信する。ＰＣ８のＷｅｂブラウザ８ａは配信されたＨＴＭＬ形式の情報を解析して表示する。
【００５６】
このようなシステム構成おける設定の流れを説明すると、まずＷｅｂブラウザ８ａに目的地テーブル１４０の内容の設定を受け付けるためのメニューを表示し、訪問者を受け入れる側のユーザＰから設定を受け付ける。そして受け付けた設定の内容は管理サーバ２から各ゲートコントローラ１００ｘ，１００ｙ，１００ａ〜１００ｄへと送信する。各ゲートコントローラ１００ｘ，１００ｙ，１００ａ〜１００ｄでは、送信されてきた設定の内容に基づいて目的地テーブル１４０に書き込んで記憶させるというものである。
【００５７】
なお、目的地テーブル１４０のみならずゲート通行権限ＤＢ１３０や訪問ステータステーブル１６０についても同様なシステム構成でユーザが設定できるようにしてもよい。
（１０）実施の形態では、図１２に示すように、未訪問な目的地がないユーザＡに対しては、正門への経路を表示するとして説明している。これはユーザＡに貸与したＩＣカード６を正門前の守衛室で返却させたいという事情による。もっともこのような事情がなければ、管理領域３の外に出るための経路であれば正門に限られず、例えばＣ棟近くにある図示しない通用門への経路を表示するようにしてもよい。
【符号の説明】
【００５８】
１  入退管理システム
２  管理サーバ
３  管理領域
４ｘ，４ａ〜４ｄ  ゲート
６  ＩＣカード
８  ＰＣ
１０ｘ，１０ｙ，１０ａ〜１０ｄ  カードリーダ
１２  読取部
１６  タッチパネル
１００ｘ，１００ｙ，１００ａ〜１００ｄ  ゲートコントローラ
１０６  権限判定部
１０８  ゲート制御部
１１０  ステータス更新部
１１２  経路処理部
１２０  記憶部
１３０  ゲート通行権限ＤＢ
１４０，１４０ａ  目的地テーブル
１５０  経路情報ＤＢ
１６０  訪問ステータステーブル
２０，３０，４０  目的地選択画面
２４，２６，２８，３４，４４，５４  経路地図の画面
【図１】
2011048457.tif 000003
【図２】
2011048457.tif 000004
【図３】
2011048457.tif 000005
【図４】
2011048457.tif 000006
【図５】
2011048457.tif 000007
【図６】
2011048457.tif 000008
【図７】
2011048457.tif 000009
【図８】
2011048457.tif 000010
【図９】
2011048457.tif 000011
【図１０】
2011048457.tif 000012
【図１１】
2011048457.tif 000013
【図１２】
2011048457.tif 000014
【図１３】
2011048457.tif 000015
【図１４】
2011048457.tif 000016
【図１５】
2011048457.tif 000017
【図１６】
2011048457.tif 000018
【図１７】
2011048457.tif 000019